(57)【要約】【課題】蒸発器と凝縮器を離れて載置した構成で、水受皿の幅を大きくせずに、除湿器の通過風によるドレン水の飛散を抑制するとともに、管径が細いキャピラリーチューブを安全に固定でき、その表面で発生するドレン水を確実に水受皿に導くことができるドレン水案内手段を提供することを目的とする。【解決手段】本体３内に設けた圧縮機４、蒸発器５、凝縮器６およびキャピラリーチューブ７からなる冷凍サイクルおよび送風機８と、キャピラリーチューブ７に連結された蒸発器５と凝縮器６を、送風機８を挟むようにして支持する支持具９と、支持具９に設けた蒸発器５の下部に配置される水受皿部１０を有し、蒸発器５またはキャピラリーチューブ７の表面に付着するドレン水を、水受皿部１０に設けた支えリブ１１ａ、１１ｂと水受けリブ１２ａ、１２ｂ、または支持具９に設けた溝部１５により、水受皿部１０内に案内することができる。【選択図】図１
2008180408.tif 000002
【特許請求の範囲】
【請求項１】
本体内に設けた圧縮機、蒸発器、凝縮器、キャピラリーチューブからなる冷凍サイクルおよび送風機と、前記キャピラリーチューブに連結された前記蒸発器と前記凝縮器を、前記送風機を挟むようにして支持する支持具と、この支持具に設けた前記蒸発器の下部に配置される水受皿部を有し、前記蒸発器の下端部または前記キャピラリーチューブに付着するドレン水を前記水受皿部に案内するためのドレン水案内手段を設けてなる一体型空気調和機。
【請求項２】
ドレン水案内手段として水受皿部に包囲壁を設け、この包囲壁は蒸発器の両側面で水受皿部の上方に支持する一対の支えリブと、前記蒸発器の下方端部に近接または当接して立設する一対の水受けリブとで形成された請求項１記載の一体型空気調和機。
【請求項３】
蒸発器の前端部と前方水受けリブとの間に、微小隙間を形成してなる請求項２記載の一体型空気調和機。
【請求項４】
微小隙間の寸法を０．５ｍｍ〜１ｍｍとした請求項３記載の一体型空気調和機。
【請求項５】
蒸発器の後端部と支えリブまたは後方水受けリブとの間に隙間を形成しない構成とした請求項２記載の一体型空気調和機。
【請求項６】
前方水受けリブの両端部分をカットして、支えリブとの間に端部通風部を形成した請求項２〜５のいずれかに記載の一体型空気調和機。
【請求項７】
水受けリブの中央部分をカットして、中央通風部を形成した請求項２〜６のいずれかに記載の一体型空気調和機。
【請求項８】
予備ドレン排水口をドレン排水口の近傍に設けるとともに、水受けリブの中央通風部内に設けてなる請求項７の一体型空気調和機。
【請求項９】
ドレン水案内手段として、支持部にキャピラリーチューブを収納する溝部を形成し、この溝部を水受皿部に連通するとともに、この溝部は水受皿部側に傾斜する傾斜勾配を設けた請求項１記載の一体型空気調和機。
【請求項１０】
キャピラリーチューブの周囲に弾性を有する保護チューブを付設し、溝部の幅を前記保護チューブの外形より小とした請求項１または９記載の一体型空気調和機。
【請求項１１】
溝部の断面形状をＵ字状とするとともに、溝部の深さ寸法を保護チューブの外形寸法より大とした請求項１０記載の一体型空気調和機。
【請求項１２】
溝部の幅寸法を同一とするとともに、この溝部の全体形状を支持部の両端付近で下方に曲がる円弧形状としてなる請求項９〜１１のいずれかに記載の一体型空気調和機。
【発明の詳細な説明】
【技術分野】
【０００１】
本発明は、除湿機等の一体型空気調和機のドレン水処理構造に関するものである。
【背景技術】
【０００２】
従来、この種の一体型空気調和機は、本体内の両側に蒸発器と凝縮器を備え、中央部分に送風装置を配置する構成のものが知られている（例えば、特許文献１参照）。
【０００３】
以下、その一体型空気調和機について図７を参照しながら説明する。
【０００４】
図に示すように、本体１０１の下部に圧縮機１０４およびドレン水のタンク１１４を設け、本体１０１の中央部に仕切板１０６を設け、仕切板１０６に支持された両軸のファンモーター１０５、蒸発器用ファン１１０および凝縮器用ファン１１１からなる送風機を設けている。蒸発器用ファン１１０、蒸発器１０２および冷風吹出口１１７により蒸発器風回路１０８を形成し、凝縮器用ファン１１１、凝縮器１０３および温風吹出口１１８により凝縮器風回路１０７を形成している。運転時には、本体１０１上部の冷風吹出口１１７より冷風が吹き出され、また本体１０１に下向きに設けた温風吹出口１１８より温風が吹き出され、頭寒足熱の快適な冷温風を供給するものである。
【０００５】
また、他の一体型空気調和機は、水受皿に設けた受けリブにより、ドレン水を水受皿に導く構成のものが知られている（例えば、特許文献２参照）。
【０００６】
以下、その除湿機について図８から図１０を参照しながら説明する。
【０００７】
図に示すように、除湿機本体２０１は吸込口２０２と吹出口２０３を備え、除湿機本体２０１の内部には冷凍サイクルを構成する圧縮機２０４、蒸発器２０５、凝縮器２０６と、送風機２０７、水受皿２１０、排水タンク２１２を設けている。吸込口２０２から吸い込まれた空気は、蒸発器２０５と凝縮器２０６を通って吹出口２０３より吹き出される。水受皿２１０には蒸発器２０５を支えるＵ字状の受けリブ２１４と、ドレン水を排水タンクに滴下させるドレン口２１５を設けている。また、蒸発器２０５を支えるＵ字状の受けリブ２１４は、中央部分に水受皿２１０の内面に達する切り欠き２２１を設けている。
【０００８】
この構成により、蒸発器２０５より生成されたドレン水は、蒸発器２０５を支えるＵ字状の受けリブ２１４に設けられた切り欠き２２１部を通過して、ドレン口２１５に流れ込み、排水タンク２１２に滴下するようになっている。
【特許文献１】特公平７−５２０２１号公報
【特許文献２】特許第３３９５６８７号公報
【発明の開示】
【発明が解決しようとする課題】
【０００９】
本体内の両側に蒸発器と凝縮器を配置するものでは、蒸発器より生成されるドレン水を処理するための水受皿を、蒸発器の下部に配置する必要があるが、本体形状を小型化するために水受皿の奥行寸法を小さく抑えようとすると、蒸発器を通過する通過風によりドレン水が本体内あるいは本体外の床面に飛散するため、本体内の機構部品や電装部品などに防水対策を施したり、本体外への飛散防止の対策をする必要があるという課題があり、水受皿の奥行寸法を広げることなく、ドレン水の飛散を防止することが要求されている。
【００１０】
また、凝縮器と蒸発器とを膨張機能部品としてのキャピラリーチューブにて連結して配管する必要があるが、凝縮器と蒸発器を分離して配置しているので、配管経路が長くなるため、配管途中での固定が不充分であると、キャピラリーチューブの管径が細いために、亀裂が入りやすくガス漏れの恐れがあり、またキャピラリーチューブの表面で発生するドレン水の本体内への漏出対策が必要になるという課題があり、キャピラリーチューブを亀裂のないように保持するとともに、キャピラリーチューブから漏れ出るドレン水を適正に処理できることが要求されている。
【００１１】
本発明は上記従来の課題を解決するものであり、水受皿の奥行寸法を拡大しなくても、蒸発器の通過風によるドレン水の飛散を抑制できるとともに、管径が細いキャピラリーチューブを安全に固定でき、キャピラリーチューブの表面で発生するドレン水を確実に水受皿に導くことができる一体型空器調和機を提供することを目的としている。
【課題を解決するための手段】
【００１２】
本発明の一体型空気調和機は上記目的を達成するために、本体内に設けた圧縮機、蒸発器、凝縮器、キャピラリーチューブからなる冷凍サイクルおよび送風機と、前記キャピラリーチューブに連結された前記蒸発器と前記凝縮器を、前記送風機を挟むようにして支持する支持具と、この支持具に設けた前記蒸発器の下部に配置される水受皿部を有し、前記蒸発器の下端部または前記キャピラリーチューブに付着するドレン水を前記水受皿部に案内するためのドレン水案内手段を設けたものである。
【００１３】
また他の手段は、ドレン水案内手段として水受皿部に包囲壁を設け、この包囲壁は蒸発器の両側面で水受皿部の上方に支持する一対の支えリブと、前記蒸発器の下方端部に近接または当接して立設する一対の水受けリブとで形成されたものである。
【００１４】
また他の手段は、蒸発器の前下端部と水受けリブとの間に、微小隙間を形成したものである。
【００１５】
また他の手段は、微小隙間の寸法を０．５ｍｍ〜１ｍｍとしたものである。
【００１６】
また他の手段は、蒸発器の後下端部と支えリブまたは水受けリブとの間に隙間を形成しないようにしたものである。
【００１７】
また他の手段は、前方水受けリブの両端部分をカットして、支えリブとの間に端部通風部を形成したものである。
【００１８】
また他の手段は、水受けリブの中央部分をカットして、中央通風部を形成したものである。
【００１９】
また他の手段は、予備ドレン排水口をドレン排水口の近傍に設けるとともに、水受けリブの中央通風部内に設けたものである。
【００２０】
また他の手段は、ドレン水案内手段として、支持具にキャピラリーチューブを収納する溝部を形成し、この溝部を水受皿部に連通するとともに、この溝部は水受皿部側に傾斜する傾斜勾配を設けたものである。
【００２１】
また他の手段は、キャピラリーチューブの周囲に弾性を有する保護チューブを付設し、溝部の幅を前記保護チューブの外形より小としたものである。
【００２２】
また他の手段は、溝部の断面形状をＵ字状とするとともに、溝部の深さ寸法を保護チューブの外形寸法より大としたものである。
【００２３】
また他の手段は、溝部の幅を同一寸法とするとともに、溝部の全体形状を支持具の両端付近で下方に曲がる円弧形状としたものである。
【００２４】
これらの手段により、水受皿の奥行寸法を拡大しなくても、蒸発器の通過風によるドレン水の飛散を抑制でき、また管径が細いキャピラリーチューブを安全に固定でき、キャピラリーチューブの表面で発生するドレン水を確実に水受皿に導くことができる一体型空器調和機が得られる。
【発明の効果】
【００２５】
本発明によれば、水受皿部の奥行き寸法を拡大することなく、蒸発器またはキャピラリーチューブに付着するドレン水を確実に水受皿部に案内できる一体型空器調和機を提供できる。
【００２６】
また、包囲壁により蒸発器の通過風によるドレン水の飛散を抑制して、ドレン水を包囲壁内に導くことができる。
【００２７】
また、蒸発器の下端部から落下する直前の水滴を、通過風が微小隙間を通過する気流に乗せて前方水受けリブの後方に落下させることができ、ドレン水の飛散を抑制しつつ、前方水受けリブの前方に落ちないようにして、低温時における氷結を防止することができる。
【００２８】
また、蒸発器の後端部と支えリブまたは水受けリブとの間に隙間を設けない構成としたので、蒸発器から落下する水滴が通過風により煽られて飛散しても、ドレン水を包囲壁に付着させて水受皿部内に集めることができ、本体内や床面への水漏れを防止することができる。
【００２９】
また、端部通風部を通して、通過風が水受皿部の左右端部に留まるドレン水を中央方向に押し出すことで、ドレン排水口へと速やかに押し流すことができ、ドレン水を水受皿部の端部に溜まらないようにして、カビや細菌などの発生を防止することができる。
【００３０】
また、中央通風部からの通過風をドレン排水口にも通過させることにより、ドレン排水口の通水性を向上することができ、ドレン排水口付近に滞留する残水が低温時に氷結しないようにして、ドレン排水口の排水機能を維持して、床面への水漏れを防止することができる。
【００３１】
また、ドレン排水口がゴミや氷結などで詰まった時でも、予備ドレン排水口を使用してドレン水を排水タンクに回収ずることができ、また通過風により予備ドレン排水口の周辺にゴミの堆積や氷結などを生じないようにすることができる。
【００３２】
また、支持具に水受け皿部方向に傾斜した溝部を形成することにより、管径が細いキャピラリーチューブを安価に固定できるとともに、キャピラリーチューブの表面で発生するドレン水を確実に排水タンクに導くことができる。
【００３３】
また、キャピラリーチューブの周囲に弾性を有する保護チューブを付設し、溝部の幅寸法を保護チューブの外形寸法より小としたことにより、管径が細いキャピラリーチューブを傷つけることなく確実に固定でき、キャピラリーチューブの表面で発生するドレン水量を減少できる。
【００３４】
また、保護チューブが溝部内の上部に保持されることにより、Ｕ字状の溝部の底面を連通させることができ、ドレン水を水受皿部に確実に導くことができる。
【００３５】
また、キャピラリーチューブを支持具上に配管するための成型冶具の必要がなくなり、管径が細いキャピラリーチューブを安価で簡単に溝部に沿った形状に曲げることができる。
【発明を実施するための最良の形態】
【００３６】
本発明の請求項１記載の発明は、本体内に設けた圧縮機、蒸発器、凝縮器、キャピラリーチューブからなる冷凍サイクルおよび送風機と、キャピラリーチューブに連結された蒸発器と凝縮器を、送風器を挟むようにして支持する支持具と、この支持具に設けた蒸発器の下部に配置される水受皿部を有し、蒸発器の下端部またはキャピラリーチューブに付着するドレン水を水受皿部に案内するためのドレン水案内手段を設けたものであり、蒸発器の下端部またはキャピラリーチューブに付着するドレン水を、本体内に漏出または飛散させることなく、ドレン水案内手段により水受皿部まで案内できるという作用を有する。
【００３７】
また、ドレン水案内手段として水受皿部に包囲壁を設け、この包囲壁は蒸発器の両側面で水受皿部の上方に支持する一対の支えリブと、蒸発器の下方端部に近接または当接して立設する一対の水受けリブとで形成されたものであり、蒸発器の下端部に付着するドレン水滴を通過風で水受皿部に落下させて、ドレン水の本体内への飛散を抑制できるという作用を有する。
【００３８】
また、蒸発器の前端下部と水受けリブとの間に、微小隙間を形成したものであり、蒸発器の通過風が微小隙間を通るときに、蒸発器の前端下部に付着するドレン水滴を、前部にある水受けリブの後方の水受皿部に落とすことができ、ドレン水の本体内への飛散を抑制するとともに、前部にある水受けリブの前方に落ちることを防ぐことで、低温時における水受皿部の氷結を防いで、ドレン排水口にドレン水を導くことができるという作用を有する。
【００３９】
また、蒸発器の前端部と水受けリブとの間の微小隙間の寸法を０．５ｍｍ〜１ｍｍとしたものであり、蒸発器の通過風が０．５ｍｍ〜１ｍｍの微小隙間を通るときに、蒸発器の前端下部に付着するドレン水滴を、確実に水受けリブの後方の水受皿部に落とすことができ、ドレン水の本体内への飛散を防止できるという作用を有する。
【００４０】
また、蒸発器の後端部と支えリブまたは水受けリブとの間に隙間を形成しないようにしたものであり、蒸発器に付着するドレン水滴が通過風により煽られて浮遊した場合でも、支えリブまたは後方の水受けリブに衝突して、水受皿部以外に落ちることはなく、ドレン水の本体内への飛散を確実に防止できるという作用を有する。
【００４１】
また、前方水受けリブの両端部分をカットして、端部通風部を形成したものであり、蒸発器の通過風が端部通風部を通過するときに、水受皿部上のドレン水を水受皿部の中央方向に押し出すことにより、ドレン水が水受皿部上に溜まることなくドレン排水口に向けて導くことができるという作用を有する。
【００４２】
また、水受けリブの中央部分をカットして、中央通風部を形成したものであり、中央通風部を通過した風が、ドレン排水口をも通過することにより、ドレン排水口からの排水を促すことができ、ドレン排水口に滞留した水分が低温時に氷結するのを防止できるという作用を有する。
【００４３】
また、予備ドレン排水口をドレン排水口の近傍に設けるとともに、水受けリブの中央通風部内に設けたものであり、予備ドレン排水口の通風性を良くして、予備ドレン排水口の周辺にゴミの付着や氷結を生じないようにずることができるという作用を有する。
【００４４】
また、ドレン水案内手段として、支持具にキャピラリーチューブを収納する溝部を形成し、この溝部を水受皿部に連通するとともに、この溝部は水受皿部側に傾斜する傾斜勾配を設けたものであり、長く横たわるキャピラリーチューブを保持するための追加部品を必要とせず、管径が細いキャピラリーチューブを安全に固定でき、キャピラリーチューブの表面で発生するドレン水を確実に水受皿部へ戻すことができるという作用を有する。
【００４５】
また、キャピラリーチューブの周囲に弾性を有する保護チューブを付設し、溝部の幅を保護チューブの外形より小としたものであり、保護チューブがキャピラリーチューブと直接接触する空気量を減らすことができるので、発生するドレン水量を減少できるとともに、管径が細いキャピラリーチューブを傷つけることなく、弾性のある保護チューブと合成樹脂製の溝部との摩擦力により、確実に固定できるという作用を有する。
【００４６】
また、溝部の断面形状をＵ字状とするとともに、溝部の深さ寸法を保護チューブの外形寸法より大としたものであり、保護チューブが溝部内の上部に保持されることにより、Ｕ字状の溝部の底面を連通させることができ、ドレン水を水受皿部に導くことができるという作用を有する。
【００４７】
また、溝部の幅を同一寸法とするとともに、溝部の全体形状は支持具の両端付近で下方に曲がる円弧形状としたものであり、キャピラリーチューブを配管する際の曲げ成型冶具を別途用意することなく、管径が細いキャピラリーチューブを容易にキャピ溝に沿った形状に曲げることができるという作用を有する。
【００４８】
以下、本発明の実施の形態について図面を参照しながら説明する。
【００４９】
（実施の形態１）
図１〜図６に示すように、本体３の対向する２側面に吸込口１ａ、１ｂを設け、本体３の天面および側面上部に吹出口２ａ、２ｂを設け、本体３内を上下に分断するように支持具９を水平に配置している。支持具９には圧縮機４、蒸発器５、凝縮器６、キャピラリーチューブ７からなる冷凍サイクルと、蒸発器５と凝縮器６の間に通風するための送風機８が載置され、蒸発器５は吸込口１ｂに近接して配置され、凝縮器６は吸込口１ａに近接して配置され、分離して配置された蒸発器５と凝縮器６はキャピラリーチューブ７に連結されている。
【００５０】
支持具９には蒸発器５の下部に水受皿部１０を一体に形成し、水受皿部１０には蒸発器５の下端辺に沿うように包囲する包囲壁２０を立設している。包囲壁２０は蒸発器５の左右側面に配した一対の支えリブ１１ａ、１１ｂと、蒸発器５の下方端部に近接または当接して立設する一対の水受けリブ１２ａ、１２ｂとで形成されている。支えリブ１１ａ、１１ｂは蒸発器５の両側面に突き出た銅管部５ａを保持することにより、水受皿部１０の上部に浮かせた状態で蒸発器５を垂直状態に支持するものである。
【００５１】
また、蒸発器５の前端部５ｂと前方の水受けリブ１２ａとの間に０．５ｍｍ〜１ｍｍの微小隙間ｔを設け、蒸発器５の後端部５ｃと支えリブ１１ａ、１１ｂおよび後方の水受けリブ１２ｂとの間には隙間ができないように当接させている。前方の水受けリブ１２ａの両端部分２ヶ所を１０ｍｍほどカットして、支えリブ１１ａ、１１ｂとの間に端部通風部１２ｃを形成するとともに、水受けリブ１２ａ、１２ｂの中央部分を１５ｍｍ〜２０ｍｍカットして中央通風部１２ｄを形成している。水受皿部１０の底面は中央通風部１２ｄ側に傾斜する傾斜面を形成し、後方の水受けリブ１２ｂの中央通風部１２ｄの底面にドレン排水口１３を設けるとともに、予備ドレン排水口１４をドレン排水口１３の近傍に、かつ中央通風部１２ｄ内に立設している。
【００５２】
また、ダンパー１７を送風機８の風下側に備えることにより、冷風運転のときは、ダンパー１７を一方に回動することにより、冷風を分離して吹出口２ｂから前方に冷風を吹き出し、乾燥風を吹き出す除湿運転のときは、ダンパー１７を他方に回動することにより、冷風を温風と混合して吹出口２ａから乾燥風を吹き出すことができる。なお、水受皿部１０からのドレン水を溜める排水タンク１６を、ドレン排水口１３の下方に着脱可能に設けている。
【００５３】
上記構成において、冷風運転を行う場合は、図１に示すようにダンパー１７を実線の位置に回動することにより、吸込口１ａ、１ｂから室内空気を吸込み、蒸発器５、凝縮器６を通過したそれぞれの風は、上部にある吹出口２ａから温風が吹き出されるとともに、前方にある吹出口２ｂから冷風が吹き出されるので、使用者が吹出口２ｂの前方に位置することにより、除湿された冷風を受けることができる。
【００５４】
除湿運転を行う場合は、図１に示すようにダンパー１７を破線の位置に移動して風路が切り換り、温風と冷風を混合した乾燥風が上部の吹出口２ａから吹き出すことができる。
【００５５】
また、蒸発器５の下部に配置される水受皿部１０に包囲壁２０を設け、包囲壁２０の一部を構成する前方の水受けリブ１２ａと蒸発器５の前端部５ｂとの間に０．５ｍｍ〜１ｍｍの微小隙間ｔを形成しているので、蒸発器５の通過風１８が微小隙間ｔを通るときに、蒸発器５の前端部５ｂに付着するドレン水滴を、水受けリブ１２ａの後方の包囲壁２０内に落とすことができ、ドレン水の本体３内への飛散を抑制するとともに、水受けリブ１２ａの前方に落ちないようにすることで、低温時における水受けリブ１２ａの前方での氷結を防ぐことができ、ドレン排水口１３にドレン水を速やかに導くことができる。
【００５６】
また、蒸発器５の後端部５ｃと、支えリブ１１ａ、１１ｂおよび後方の水受けリブ１２ｂとの間に隙間を生じないように配置することで、蒸発器５から落下するドレン水滴を通過風１８により煽られて飛散しても、ドレン水を支えリブ１１ａ、１１ｂおよび後方の水受けリブ１２ｂに付着させて、ドレン排水口１３に導くことができ、ドレン水が本体３外へ飛び出したり、本体３内の送風機８などに付着して劣化するような弊害を未然に防止することができる。
【００５７】
また、前方の水受けリブ１２ａの両端部分をカットして、支えリブ１１ａ、１１ｂとの間に端部通風部１２ｃを形成することにより、蒸発器５の通過風１８が端部通風部１２ｃを通過するときに、水受皿部１０上のドレン水を中央方向に押し流すことができ、ドレン水が水受皿部１０上に溜まることなくドレン排水口１３に向けて導くことができる。
【００５８】
また、水受けリブ１２ａ、１２ｂの中央部分をカットして、中央通風部１２ｄを形成することにより、中央通風部１２ｄを通過した通過風１８が、ドレン排水口１３内をも通過させることができ、ドレン排水口１３付近に滞留しやすいドレン水の排水を促すことができ、滞留した水分が低温時に氷結するのを防止することができる。
【００５９】
また、予備ドレン排水口１４をドレン排水口１３の近傍かつ後部の水受けリブ１２ｂの中央通風部１２ｄ内に設けることで、ドレン排水口１３がゴミや氷結等で詰まった時でも、予備ドレン排水口１４を使用してドレン水を排水タンク１６に回収することができ、また突設する予備ドレン排水口１４の周りに通風して、ゴミ等が付着したり堆積しないようにすることができる。
【００６０】
（実施の形態２）
図１〜図４に示すように、支持具９は蒸発器５と凝縮器６を分離して載置するとともに、蒸発器５と凝縮器６を接続するキャピラリーチューブ７を保護チューブ７ａを介して、支持具９に形成した溝部１５に収納している。すなわち、外形寸法２．１ｍｍのキャピラリーチューブ７の外周に、外形寸法ｄ＝６ｍｍの保護チューブ７ａを付設して保護キャピラリーチューブ７Ａとし、支持具９に保護キャピラリーチューブ７Ａを収納するための断面Ｕ字状の溝部１５を形成している。溝部１５の溝幅寸法ｗを５ｍｍとして、保護キャピラリーチューブ７Ａの外形寸法ｄ（＝６ｍｍ）より小とし、溝部１５の深さ寸法ｈを７ｍｍ〜２０ｍｍとして保護チューブの外形寸法ｄ（＝６ｍｍ）より大としている。
【００６１】
溝部１５の全体形状は側方から見て、水受皿部１０部側に傾斜して連通する傾斜勾配を設けるとともに、溝部１５の両端付近でそれぞれ下方に曲がる円弧形状としている。
【００６２】
上記構成において、支持具９に形成した溝部１５を蒸発器５の最下端より約７ｍｍ高い位置に設け、蒸発器５から引き出したキャピラリーチューブ７を屈曲状態で配管して溝部１５で固定する。このとき、キャピラリーチューブ７はいったん円状に巻回され、さらに水受皿部１０の上方に懸架されるときに、途中で傾斜の向きを下方向から上方向に変えて、溝部１５に収納する。このように、キャピラリーチューブ７が水受皿部１０の上方に懸架されるときには、下がり勾配から上り勾配に配管にすることで、途中で水切りができ、蒸発器５に近い部分で発生するドレン水を水受皿部１０に確実に落とすことができる。
【００６３】
また、溝部１５に収納されるキャピラリーチューブ７は、保護チューブ７ａを巻いた保護キャピラリーチューブ７Ａの状態として、溝部１５の蒸発器５側の端部は水受皿部１０に連通して設けるとともに、溝部１５は水受皿部１０に近い範囲では、水受皿部１０方向に５度の下り勾配とした傾斜勾配を設けている。これにより、保護キャピラリーチューブ７Ａで発生するドレン水を確実に水受皿部１０へ戻すことができ、さらに保護チューブ７ａで覆われたキャピラリーチューブ７は、接触する空気量自体を減らすことができるので、発生するドレン水の量を減少することができる。
【００６４】
また、溝部１５の幅寸法ｗは、弾性のある保護チューブ７ａを付設したキャピラリーチューブ７Ａの外形ｄより小としているので、管径が細いキャピラリーチューブ７を傷つけることなく、保護チューブ７ａと合成樹脂製の溝部１５との摩擦力により確実に固定できる。また、溝部１５の深さ寸法ｈを保護キャピラリーチューブ７Ａの外形ｄより大としているので、保護キャピラリーチューブ７Ａが溝部１５内の上部に保持されることにより、Ｕ字状の溝部１５の底面が連通状態となり、連通する底面を伝わらせてドレン水を水受皿部１０に導くことができる。
【００６５】
また、溝部１５の全体形状を支持具９の両端付近で、曲率半径１０ｍｍ〜２０ｍｍの下方に曲がる円弧形状とすることで、保護キャピラリーチューブ７Ａを曲げて配管するときの成型冶具の必要がなく、溝部１５に沿った形状に容易に曲げることができ、管径が細いキャピラリーチューブ７を傷つけることなく確実に固定することができる。
【産業上の利用可能性】
【００６６】
本発明は、蒸発器の下端部またはキャピラリーチューブにドレン水案内手段を設けて、水受皿部の奥行き寸法を大きくせずに、通過風による蒸発器からのドレン水の本体内への飛散を抑制することができるものであり、エアコンなどの空調機器の用途にも適用できる。
【図面の簡単な説明】
【００６７】
【図１】本発明の実施の形態１および実施の形態２の概略側断面図
【図２】同、蒸発器と凝縮器の水受皿部への取付け状態を示す要部斜視図
【図３】同、水受皿部の取付け状態を示す断面図（（イ）同、キャピラリーチューブの配管状態を示す要部断面図、（ロ）同、蒸発器と水受けリブとの関係を示す概略断面図、（ハ）同、溝部と保護キャピラリーチューブの関係を示す概略断面図）
【図４】同、水受皿部と溝部を備えた支持具の斜視図
【図５】本発明の実施の形態１の端部通風部と支えリブおよび水受けリブの関係を示す要部拡大図
【図６】同、中央通風部と予備ドレン排水口の関係を示す要部拡大図
【図７】従来の一体型除湿空気調和機の概略断面図
【図８】従来の他の一体型除湿空気調和機の概略断面図
【図９】同、水受皿の斜視図
【図１０】同、蒸発器と凝縮器の水受皿への取付け状態を示す斜視図
【符号の説明】
【００６８】
３      本体
４      圧縮機
５      蒸発器
６      凝縮器
７      キャピラリーチューブ
７ａ    保護チューブ
８      送風機
９      支持具
１０    水受皿部
１１ａ  支えリブ
１１ｂ  支えリブ
１２ａ  水受けリブ
１２ｂ  水受けリブ
１２ｃ  端部通風部
１２ｄ  中央通風部
１３    ドレン排水口
１４    予備ドレン排水口
１５    溝部
２０    包囲壁
【図１】
2008180408.tif 000003
【図２】
2008180408.tif 000004
【図３】
2008180408.tif 000005
【図４】
2008180408.tif 000006
【図５】
2008180408.tif 000007
【図６】
2008180408.tif 000008
【図７】
2008180408.tif 000009
【図８】
2008180408.tif 000010
【図９】
2008180408.tif 000011
【図１０】
2008180408.tif 000012